(57)【特許請求の範囲】
【請求項１】
一枚の箱体形成片から成り、筒体状に組み立てられた側面と、前記側面の１つに折罫線で区切られて設けられ前記筒体の上方の開口端部を閉鎖する上蓋片を有する外箱が設けられ、
前記外箱の内側には、前記外箱とは異なる一枚の箱体形成片から成る仕切部材が摺動可能に設けられ、
前記仕切部材は、前記外箱の底部より小さく形成され、この底部の裏面側に重ねられる内底片と、前記内底片に連続する立上片と、前記立上片に連続し前記外箱の前記上蓋片の裏面に重ねて取り付けられる取付片が設けられ、
前記取付片は、前記立上片と折罫線で区切られ、前記取付片は、前記立上片との間の折罫線が、前記外箱の前記上蓋片と前記側面との間の折罫線に対して、略平行に離間する位置に取り付けられ、
前記立上片は前記上蓋片が設けられた前記外箱の一側面に対して略平行に離間してセットされ、
前記外箱または前記仕切部材には、前記立上片が前記外箱の前記上蓋片が設けられた側面から一定距離に離れて摺動させるガイド片が設けられ、
前記上蓋片を前記側面との間の折罫線を逆方向に折り曲げて開封すると、前記仕切部材が収容物を保持した状態で前記ガイド片に案内されて前記上蓋片側に移動し、前記立上片の前記取付片に連続する部分が前記上蓋片の動きに追従して前記収容物から離れる方向へ折り曲げられ、前記収容物の上端部は前記立上片から離れた状態で前記外箱の開口端部から突出することを特徴とする包装用箱。
【請求項２】
前記立上片と前記取付片の間には、連結片が一対の折罫線で区切られて設けられ、前記立上片と前記連結片を区切る折罫線は、前記収容物の上端部よりも前記内底片に近い位置に、前記収容物の取り出し方向に交差する方向に設けられ、
前記外箱の前記上蓋片を開くと、前記立上片は前記収容物とともに上昇し、前記連結片は前記上蓋片の横方向への動きに追従して前記折罫線で前記収容物から離れる方向へ折り曲げられる請求項１記載の包装用箱。
【請求項３】
前記仕切部材には、前記立上片に交差して設けられ前記内底片の上方に位置し収容物の底部を保持する保持片と、前記収容物の側面を保持する開口部が各々設けられた中枠片と上面片が設けられている請求項１又は２記載の包装用箱。
【請求項４】
前記仕切部材は、収容物を、前記外箱の前記上蓋片、前記側面及び前記底部に接触しないように距離を空けて保持する請求項３記載の包装用箱。
【請求項５】
前記筒体状に組み立てられた前記側面の、前記上蓋片が設けられた側面に隣接する左右一対の側面には、前記上蓋片の裏面側に折って重ねられる矩形のフラップが設けられ、
前記フラップは、前記上蓋片に隣接する角部が矩形に切り欠かれた切除部が設けられ、
前記包装用箱の組み立て工程で前記フラップを折ったとき、上記切除部から前記仕切部材の前記取付片が上方に突出し、前記取付片と前記外箱の前記上蓋片が糊付される請求項１乃至４のいずれか記載の包装用箱。
【発明の詳細な説明】
【技術分野】
【０００１】
この発明は、上蓋片が一体に設けられた外箱の内側に、上蓋片を開くことにより連動する仕切部材が設けられ、収容物の取り出しを容易にした包装用箱に関する。
【背景技術】
【０００２】
包装用箱から収容物を取り出す場合、包装用箱の上面に設けられた上蓋片を開けて取り出す際に収容物がつかみにくく取り出しにくい場合がある。そこで、収容物を取り出し易くするために従来からいろいろな工夫がされている。
【０００３】
例えば、特許文献１に開示されているケースは、紙状物質から成る箱体と、これを被蓋する外蓋とを開閉自在に一体に形成したものであり、箱体の端部を折り返して形成した開閉自在の内蓋と、先端に折り曲げ部を形成した昇降自在の内底とを有し、かつ内底の延長端部を外蓋の内面に接着したものである。このケースは、外蓋を開けると自動的に内底が傾斜して持ち上がり、収容物の取り出しが容易となるものである。
【０００４】
また、特許文献２に開示されている包装箱は、後壁の上端に蓋を開閉自在に連接した箱本体を形成し、蓋の開閉に連動して後部が昇降する中底板が設けられている。蓋の裏側と中底板は帯材を介して連結され、帯材の下端を中底板の後端よりも前側に位置させている。この包装箱は、蓋を開くと、帯材により中底板の後端が引き上げられて上昇し、収容物の取り出しが容易となる。
【０００５】
また、特許文献３に開示されている包装容器は、直方体の包装容器であり、身部と、片開きの蓋部と、前記身部内部に収容され物品収容トレイを保持するとともに蓋部と連動して動く内部可動部が設けられている。この包装容器は、蓋部を開くと、内部可動部とともに物品収容トレイが上方に移動し、収容物の取り出しが容易となる。
【先行技術文献】
【特許文献】
【０００６】
【特許文献１】実開昭５２−１６８７２７号公報
【特許文献２】特開２００７−１６１２８１号公報
【特許文献３】特開２００４−２６８９４６号公報
【発明の概要】
【発明が解決しようとする課題】
【０００７】
上記背景技術の場合、底部または物品収容トレイが上方に移動する点では収容物を取り出しやすくなるが、収容物が底部から持ち上げられるものではなく、取り出すには、収容物と底部との間に指を入れて起き上がらせて取り出さなければならないという問題があった。
【０００８】
特に、医薬品の瓶など円筒状の収容物を包装用箱に収容する場合、包装用箱の上面に設けられた上蓋片を開けて取り出す際に、収容物がつかみにくく、取り出しにくい場合がある。包装用箱に緩衝機能を有する仕切部材が設けられている場合は、緩衝機能を有する仕切部材等により収容物と包装用箱の隙間が狭いため、特に取り出しにくいものである。そこで、このような包装用箱において、収容物を取り出し易くしたものが求められている。
【０００９】
この発明は、上記背景技術の問題点に鑑みてなされたものであり、簡単な構造で包装用箱から収容物を簡単に取り出すことができる包装用箱を提供することを目的とする。
【課題を解決するための手段】
【００１０】
本発明は、一枚の箱体形成片から成り、筒体状に組み立てられた側面と、前記側面の１つに折罫線で区切られて設けられ前記筒体の上方の開口端部を閉鎖する上蓋片を有する外箱が設けられ、前記外箱の内側には、前記外箱とは異なる一枚の箱体形成片から成る仕切部材が摺動可能に設けられている包装用箱である。前記仕切部材は、前記外箱の底部より小さく形成され、この底部の裏面側に重ねられる内底片と、前記内底片に連続する立上片と、前記立上片に連続し前記外箱の前記上蓋片の裏面に重ねて取り付けられる取付片が設けられ、前記取付片は、前記立上片と折罫線で区切られ、前記取付片は、前記立上片との間の折罫線が、前記外箱の前記上蓋片と前記側面との間の折罫線に対して、略平行に離間する位置に取り付けられている。前記包装用箱は、前記上蓋片を前記側面との間の折罫線を逆方向に折り曲げて開封すると、前記仕切部材が収容物を保持した状態で上昇し、前記立上片の前記取付片に連続する部分が前記上蓋片の動きに追従して前記収容物から離れる方向へ折り曲げられ、前記収容物の上端部は前記立上片から離れた状態で前記外箱の上方の開口端部から突出するものである。
【００１１】
また、前記立上片と前記取付片の間には、連結片が一対の折罫線で区切られて設けられ、前記立上片と前記連結片を区切る折罫線は、前記収容物の上端部よりも前記内底片に近い位置に、前記収容物の取り出し方向に交差する方向に設けられ、前記外箱の前記上蓋片を開くと、前記立上片は前記収容物とともに上昇し、前記連結片は前記上蓋片の横方向への動きに追従して前記折罫線で前記収容物から離れる方向へ折り曲げられるものである。
【００１２】
前記仕切部材の前記内底片は、前記外箱の底部より小さく形成され、前記立上片は前記上蓋片が設けられた前記外箱の一側面に対して略平行に離間してセットされ、前記外箱または前記仕切部材には、前記立上片が前記外箱の前記上蓋片が設けられた側面から一定距離に離れて摺動させるガイド片が設けられている。
【００１３】
また、前記仕切部材には、前記立上片に交差して設けられ前記内底片の上方に位置し収容物の底部を保持する保持片と、前記収容物の側面を保持する開口部が設けられた中枠片と上面片が設けられている。前記仕切部材は、収容物を、前記外箱の前記上蓋片、前記側面及び前記底部に接触しないように距離を空けて保持する。
【００１４】
また、筒状に組み立てられた前記側面の、前記上蓋片が設けられた側面に隣接する左右一対の側面には、前記上蓋片の内側に折って重ねられる矩形のフラップが設けられ、前記フラップは、前記上蓋片に隣接する角部が矩形に切り欠かれた切除部が設けられ、前記包装用箱の組み立て工程で前記フラップを折ったとき、上記切除部から前記仕切部材の前記取付片が上方に突出し、前記取付片と前記外箱の前記上蓋片が糊付けされるものである。
【発明の効果】
【００１５】
本発明の包装用箱は、簡単な構造で包装用箱から収容物を簡単に取り出すことができ、健常者はもとより、高齢者や障害のある人であっても、収容物の取り出しが容易なものである。特に、上蓋片を開封すると同時に収容物を保持する仕切部材が上昇し、収容物の上端部分が箱体の上方の開口端部から自動的に突出し、収容物の側面を保持して簡単に引き上げて取り出すことができる。また、底部は二重に設けられ、改ざん防止効果が高い。仕切部材は、高い緩衝効果を有し、収容物を、安全に保管と運搬を行うことができる。
【図面の簡単な説明】
【００１６】
【図１】この発明の一実施形態の包装用箱の使用状態を示す斜視図である。
【図２】この実施形態の包装用箱の斜視図である。
【図３】この実施形態の包装用箱の外箱の展開図である。
【図４】この実施形態の包装用箱の仕切部材の展開図である。
【図５】この実施形態の包装用箱の仕切部材の斜視図である。
【発明を実施するための形態】
【００１７】
以下、この発明の実施形態について図面に基づいて説明する。図１〜図５はこの発明の一実施形態を示すもので、この実施形態の包装用箱１０は、矩形の外箱１２と、外箱１２の内側に摺動可能に入れられた仕切部材１４が設けられている。
【００１８】
外箱１２は、紙製等の一枚のブランクシートを打ち抜いて形成された箱体形成片１６を組み立てて設けられている。図３は、箱体形成片１６を表面から見た展開図であり、箱体形成片１６は、側面１８，２０，２２，２４が、互いに平行に連接して形成されている。側面１８，２０，２２，２４は、連接方向と直交する幅方向の長さは互いに同じ長さであり、それと直交する長さも互いに同じ長さであり幅方向よりも短く形成されている。側面１８の側縁部には、外箱１２の組立状態で側面２４の裏面に糊付けされる糊付片２６が設けられている。糊付片２６、側面１８，２０，２２，２４は、各々折罫線２８，３０，３２，３４で区切られている。
【００１９】
糊付片２６の、折罫線２８と反対側の側縁部には、矩形のガイド片３６が折罫線３８で区切られて設けられている。ガイド片３６は、糊付片２６との連接方向と直交する幅方向の長さは糊付片２６より短く、糊付片２６との連接方向の長さは側面１８とほぼ同じである。ガイド片３６の折罫線３８と反対側の側縁部には、小さい矩形の糊付片４０が折罫線４２で区切られて設けられている。
【００２０】
側面１８の、側面同士の連接方向に対して直角な方向の一端部には、上蓋片４４が折罫線４６で区切られて設けられている。上蓋片４４の折罫線４６と反対側の端部には、さらに差込片４８が折罫線５０で区切られて設けられている。側面１８の、折罫線４６と反対側の端部には、第一底蓋片５２が折罫線５４で区切られて設けられている。第一底蓋片５２の折罫線５４と反対側の端部５２ａは、端部５２ａの中心より折罫線３０側の部分は、折罫線５４から離れる方に湾曲しながら突出し、幅広に形成された差込片５６となっている。端部５２ａの、折罫線３０に近い部分には、変形した矩形の糊付片５８が折罫線６０で区切られて設けられ、折罫線６０は折罫線５４に対して鋭角で交差する方向に設けられている。端部５２ａの糊付片５８との交点部分は、外箱１２の組立状態で形成される底部５１の中心付近に位置する。
【００２１】
側面２０の、側面１８の折罫線４６に隣接する端部には、矩形のフラップ６２が折罫線６４で区切られて設けられている。フラップ６２には、上蓋片４４に隣接する角部が矩形に切り欠かれたような切除部６６が設けられている。また側面２０の、折罫線６４と反対側の端部には、略三角形状のフラップ６８が折罫線７０で区切られて設けられている。
【００２２】
側面２２の、側面２０の折罫線６４に隣接する端部２２ａには、他の部材が設けられていない。側面２２の、端部２２ａと反対側の端部には、第二底蓋片７２が折罫線７４で区切られて設けられている。第二底蓋片７２の折罫線７４と反対側の端部７２ａは、端部７２ａの中心より折罫線３４側の部分は、折罫線７４から離れる方に湾曲しながら突出し、幅広に形成された差込片７６となっている。端部７２ａの、折罫線３４に近い部分には、変形した矩形の糊付片７８が折罫線８０で区切られて設けられ、折罫線８０は折罫線７４に対して鋭角で交差する方向に設けられている。端部７２ａの糊付片７８との交点部分は、外箱１２の組立状態で形成される底部５１の中心付近に位置する。
【００２３】
側面２４の、側面２２の端部２２ａに隣接する端部には、矩形のフラップ８２が折罫線８４で区切られて設けられている。フラップ８２は、側面２４の側縁部２４ａの延長線上に位置する角部が矩形に切り欠かれたような切除部８６が設けられている。また側面２４の、折罫線８４と反対側の端部には、略三角形状のフラップ８８が折罫線９０で区切られて設けられている。
【００２４】
なお、上記の各折罫線には、折り曲げやすくするために、破断線が設けられてもよい。
【００２５】
次に、この実施形態の包装用箱１０の外箱１２の組立方法の一例について説明する。ここでは、図３が外箱１２の箱体形成片１６の表面を見たものであり、箱体形成片１６の表面が凸になる折り方を正折り、そして裏面が凸になる折り方を逆折りと称する。
【００２６】
まず、折罫線３８を正折りし、糊付片４０の表面に糊９３を塗布する。糊９３は、糊付片４０の長手方向に沿う直線状に塗布する。次に折罫線５４，７０，７４，９０を正折りし、折罫線６０，８０を逆折りし、糊付片５８，７８の裏面に糊９４，９６を塗布する。そして、糊付片２６の表面に糊９８を塗布し、折罫線３０を正折りし、折罫線３４を正折りする。これにより、糊付片２６の表面は糊９８により側面２４の裏面に糊付けされ、糊付片４０の表面は糊９３により側面２０の裏面に糊付けされる。糊付片５８の裏面は糊９４によりフラップ６８の表面に、糊付片７８の裏面は糊９６によりフラップ８８の表面に糊付けされる。これにより箱体形成片１６は折り畳み状態となり、この折り畳んだ状態で出荷される。
【００２７】
次に、収容物１１を収容し包装する工場等において、折罫線２８，３０，３２，３４を各々９０°に正折りして四角形の箱体にする。このとき、第一底蓋片５２の糊付片５８はフラップ６８に、第二底蓋片７２の糊付片７８はフラップ８８に糊付けされているため、二つ折りされていた折罫線５４，７０，７４，９０は自動的に引き起こされてほぼ９０°に開き、底部５１が形成される。第一底蓋片５２と第二底蓋片７２の外側に膨出する差込片５６，７６は、組み立てる途中は互いに当接し弾性変形しながら乗り越えて、組み立てたときには弾性変形が復元して互いにロックされ、底部５１の形状を保つ。
【００２８】
これにより、外箱１２は図１に示す状態となる。外箱１２は、側面１８，２０，２２，２４が筒体となり、筒体の断面形状は正方形となる。第一底蓋片５２、フラップ６８，８８、第二底蓋片７２が組み合わされて正方形の底部５１が形成され、底部５１と反対側は、収容物１１を出し入れする開口端部となる。ガイド片３６は、筒体の断面形状中心よりも側面１８に近い位置で、側面１８に対して平行に組み立てられ、ガイド片３６と側面２０，２２，２４で囲まれた筒体の中に仕切部材１４が入れられる。なお、収容物１１は例えば液体の医薬品が入れられたバイアルである。
【００２９】
次に、仕切部材１４について説明する。仕切部材１４は、紙製等の一枚のブランクシートを打ち抜いて形成された箱体形成片１００を組み立てて設けられている。図４は、箱体形成片１００を表面から見た展開図である。箱体形成片１００には、外箱１２の、ガイド片３６と側面２０，２２，２４で囲まれた小さい筒体の内側に嵌合され底部５１の裏面側に重ねられる矩形の内底片１０２が設けられている。内底片１０２の一方向の長さは側面２２の連接方向長さとほぼ等しく、他方の長さは外箱１２の、ガイド片３６と側面２２の間隔にほぼ等しい。
【００３０】
内底片１０２の、ガイド片３６と側面２２の間隔にほぼ等しい一対の端部の、一方の端部１０２ａには、立上片１０４と連結片１０６、取付片１０８が順に連接して設けられ、互いに折罫線１１０，１１２，１１４で区切られている。立上片１０４は、包装用箱１０の組立状態でガイド片３６に重ねられるものであり、矩形で、内底片１０２との連接方向の幅は内底片１０２と同じであり、連接方向の長さは内底片１０２よりも長い。立上片１０４の、折罫線１１０に交差する一対の側縁部１０４ａには、矩形のガイド部１１６が折罫線１１８で区切られて設けられている。ガイド部１１６は、折罫線１１８から折罫線１１８に対して平行な側縁部までの長さが、外箱１２の、ガイド片３６と側面２２の間の距離にほぼ等しい。
【００３１】
連結片１０６は、包装用箱１０の組立状態でガイド片３６の上の部分に重ねられるものであり、立上片１０４との間の折罫線１１２を下底とし反対側の折罫線１１４を上底とする台形である。連結片１０６の、立上片１０４との連接方向の長さは立上片１０４より短く、立上片１０４と連結片１０６の連接方向の長さを足したものが、外箱１２の高さとほぼ等しい。取付片１０８は、外箱１２の上蓋片４４よりも小さい矩形であり、包装用箱１０の組立状態で上蓋片４４の中心付近に糊付けされるものである。
【００３２】
内底片１０２の、端部１０２ａと反対側の端部１０２ｂには、上面保持片１２０と上面片１２２、中枠保持片１２４、中枠片１２６、取付片１２８が順に連接して設けられ、互いに折罫線１３０，１３２，１３４，１３６，１３８で区切られて設けられている。折罫線１３６，１３８は、両端部が切り残された短い切断線で設けられている。
【００３３】
上面保持片１２０は、包装用箱１０の組立状態で側面２２に重ねられるものであり、矩形で、内底片１０２との連接方向の幅は内底片１０２と同じであり、連接方向の長さは内底片１０２より長く、立上片１０４より短い。
【００３４】
上面片１２２は、組立状態で内底片１０２と平行に位置するものであり、内底片１０２とほぼ同じ大きさの矩形である。上面片１２２の中心には開口部１４０が設けられ、開口部１４０は折罫線１３２，１３４に達し、折罫線１３２，１３４を各々少し超えて上面保持片１２０または中枠保持片１２４に位置する一対の直線と、一対の直線を結ぶ一対の曲線で囲まれて形成され、曲線は外側に湾曲するものである。
【００３５】
中枠保持片１２４は、折罫線１３４よりも折罫線１３６がわずかに短くなる変形した矩形であり、連接方向の長さは上面保持片１２０の半分よりもわずかに短いものである。
【００３６】
中枠片１２６は、組立状態で内底片１０２、上面片１２２と平行に位置するものであり、内底片１０２、上面片１２２と同じ大きさの矩形である。取付片１２８は連接方向の幅は中枠片１２６と同じであり、連接方向の長さは中枠保持片１２４より少し長く、中枠保持片１２４と取付片１２８の連接方向の長さを足したものが、上面保持片１２０とほぼ等しい。中枠片１２６には、連接方向に対して平行な一対の切断線１４２が設けられている。一対の切断線１４２の一方の端部は、折罫線１３８を越えて取付片１２８の端部１２８ａ近傍まで達し、この端部には、一対の切断線１４２同士を連結する折罫線１４４が設けられている。一対の切断線１４２の他方の端部は、折罫線１３６に交差するところに位置している。一対の切断線１４２の間の部分は、折罫線１３８が途切れて設けられ、折罫線１３８よりも折罫線１３６に近いところに、切断線１４２に対して直角な折罫線１４６が設けられている。一対の切断線１４２と、折罫線１４４，１４６で囲まれた部分は、後述する収容物１１の底部を保持する保持片１４８となる。保持片１４８は組立状態で中枠片１２６と平行に位置するものであり、折罫線１４４，１４６の間の長さは中枠片１２６の連接方向の長さと同じである。中枠片１２６には、切断線１４２の途中に楕円形の透孔１５０が各々設けられている。透孔１５０は、長手方向が切断線１４２に一致して中枠片１２６を打ち抜いて形成されている。
【００３７】
なお、上述の各折罫線には、折り曲げやすくするために、破断線が設けられてもよい。
【００３８】
次に、この実施形態の包装用箱１０の仕切部材１４の組立方法の一例について説明する。ここでは、図４が仕切部材１４の箱体形成片１００の表面を見たものであり、箱体形成片１００の表面が凸になる折り方を正折り、そして裏面が凸になる折り方を逆折りと称する。
【００３９】
まず、取付片１２８の裏面に糊１５２を塗布する。糊１５２は、取付片１２８の端部１２８ａに沿う直線状に塗布する。そして折罫線１３４を正折りし、取付片１２８の裏面は糊１５２により上面保持片１２０の裏面に糊付けされる。次に、中枠保持片１２４の表面に糊１５４を塗布する。糊１５４は折罫線１３４に沿う直線状に塗布する。そして折罫線１３０を正折りし、中枠保持片１２４の表面は糊１５４により立上片１０４の裏面に糊付けされる。これにより箱体形成片１００は折り畳み状態となり、この折り畳んだ状態で外箱１２とともに出荷される。
【００４０】
次に、収容物１１を収容し包装する工場等において、折罫線１１０，１３０，１３２，１３４を各々９０°に正折りして、立上片１０４、内底片１０２、上面保持片１２０、上面片１２２、中枠保持片１２４を筒体とする。このとき折罫線１３６が９０°に正折りされ、折罫線１３８は９０°に逆折りされ、中枠片１２６は、筒体の内側で上面片１２２と内底片１０２に対して、平行に組み立てられる。中枠片１２６の一対の切断線１４２の間に設けられた折罫線１４６は９０°に正折りされ、折罫線１４４は９０°に逆折りされて、保持片１４８は中枠片１２６から離れ、中枠片１２６と内底片１０２の間に位置し、中枠片１２６と内底片１０２に対して平行に組み立てられる。中枠片１２６の中心部分は、保持片１４８が離れて開口し、一対の透孔１５０と連通して大きい開口部１５１となる。そして、一対のガイド部１１６を折罫線１１８で９０°に正折りし、筒体の両脇に位置するように組み立てる。これにより、仕切部材１４は図５に示す状態となる。
【００４１】
そして、予め組み立てられた外箱１２の、ガイド片３６と側面２０，２２，２４で囲まれた筒状部分の中に、仕切部材１４を入れる。このとき立上片１０４がガイド片３６に重なる向きにセットする。そして、仕切部材１４の上面片１２２の開口部１４０の中に収容物１１を挿入し、収容物１１は中枠片１２６の開口部１５１に嵌合されて底部が保持片１４８に当接して保持される。
【００４２】
次に、外箱１２のフラップ６２，８２を折罫線６４，８４で正折りする。この時、フラップ６２，８２の切除部６６，８６に仕切部材１４の取付片１０８が挿通され、フラップ６２，８２に交差して上方に突出する。この後、フラップ６２，８２の切除部６６，８６から突出する取付片１０８を、折罫線１１４で９０°に正折りし、取付片１０８の表面に糊１５６を塗布する。その後、折罫線４６で上蓋片４４を９０°に正折りし、さらに折罫線５０を正折りして差込片４８を側面２２の内側に差し込んで閉鎖し、図２に示すように包装が完了する。これにより、取付片１０８の表面を糊１５６により外箱１２の上蓋片４４の裏面に糊付けする。取付片１０８は、上蓋片４４の中央部分に糊付けされ、取付片１０８は、連結片１０６との間の折罫線１１４が、外箱１２の上蓋片４４と側面１８との間の折罫線４６に対して、略平行に離間する位置に取り付けられる。
【００４３】
包装用箱１０から収容物１１を取り出す時は、上蓋片４４を押し上げて折罫線４６を軸として回転させて開封する。すると、上蓋片４４に糊付けされた取付片１０８も移動し折罫線１１４の角度が９０°よりも大きくなりながら上方に引き上げられ、仕切部材１４全体が収容物１１とともに上昇する。上蓋片４４が側面１８に対して外側に約９０°に開くと、上蓋片４４の横方向への動きに追従して、図１に示すように折罫線１１４は折り角度がなくなって平坦となり、折罫線１１２が約９０°に逆折りされる。そして収容物１１の上端部分は、外箱１２の開口端部から上方に突出し、さらに連結片１０６が収容物１１から離れる方向へ折り曲げられるため、収容物１１は周囲に何もない状態で外箱１２の開口部から突出する。この状態で、突出した収容物１１の側面等を手で保持して引き抜き、取り出すことができる。
【００４４】
この実施形態の包装用箱１０によれば、簡単な構造で収容物１１を簡単に取り出すことができる。特に、上蓋片４４を開封すると同時に、収容物１１の上端部が開口端部から自動的に突出し、突出した収容物１１の側面等を保持して簡単に引き上げて取り出すことができる。簡単な組立工程で仕切部材１４の取付片１０８を外箱１２の上蓋片４４に糊付けすることができ、生産効率が良い。また、底部５１の内側には仕切部材１４の内底片１０２が設けられ、二重構造となり、改ざん防止効果が高い。仕切部材１４は、外箱１２のガイド片３６と、仕切部材１４のガイド部１１６により、がたつきが少なく収容されているため、上昇する際に傾いたりすることなく、小さい抵抗で円滑に上昇させることができる。収容物１１の底部は仕切部材１４の保持片１４８に保持され、収容物１１の側面は上面片１２２の開口部１４０と中枠片１２６の開口部１５１に嵌合され、がたつきがなく緩衝性が高く、収容物１１を、安全に保管と運搬を行うことができる。収容物１１は、側面１８，２０，２２，２４等、外箱１２の外側面に接触することがなく、外側面から衝撃を加えられても影響が小さく、破損を防ぐことができる。さらに、保持片１４８は、上下方向に衝撃が加えられたときわずかにたわむためクッション性があり、安全性が高いものである。
【００４５】
なお、この発明の包装用箱は、上記実施形態に限定されるものではなく、仕切部材の構造は収容物に合わせて適宜変更可能である。外箱の構造は自由に変更可能であり、底部の構造も異なるものでもよい。ガイド片の構造は上記以外でもよく、仕切部材が傾かず円滑に上昇するものであれば良い。
【符号の説明】
【００４６】
１０  包装用箱
１２  外箱
１４  仕切部材
１８，２０，２２，２４  側面
２６  糊付片
３６  ガイド片
４４  上蓋片
４６，１１４  折罫線
５１  底部
１０２  内底片
１０４  立上片
１０６  連結片
１０８  取付片
１１６  ガイド部
１２０  上面保持片
１２２  上面片
１２６  中枠片
１４０，１５１  開口部
１４８  保持片
１５６  糊
【図１】
0006399818.tif 000002
【図２】
0006399818.tif 000003
【図３】
0006399818.tif 000004
【図４】
0006399818.tif 000005
【図５】
0006399818.tif 000006